(57)【要約】【課題】比較的簡易な構成によって設備プレートを器具本体に取り付けることが可能な天井設置用照明器具を提供する。【解決手段】照明器具１００は、電気部品とフレーム１１０とを含む器具本体と、設備プレート１５０とを備えている。フレーム１１０は、挿入口と、側壁３４および側壁３５と、フランジ３６およびフランジ３７と、突起部３４ｐと、突起部３５ｐとを有している。フランジ３６と突起部３４ｐとの間の間隔ｈと、設備プレート１５０の幅方向の一端５ａの厚みＨｐと、フレーム１１０の幅方向に沿った挿入口の寸法Ｗ1と、設備プレート１５０の幅方向の寸法Ｗ2と、フレーム１１０の幅方向に沿った突起部３４ｐの先端と突起部３５ｐの先端との間の寸法Ｗ4との間に、Ｗ1＜Ｗ2≦Ｗ4の関係およびｈ＜Ｈｐの関係が成立する。【選択図】図１０
2013109851.tif 000002
【特許請求の範囲】
【請求項１】
天井に設置される天井設置用照明器具であって、
光源と前記光源を点灯させる点灯装置とを有する電気部品と、一定の長さと幅とを有し且つ前記電気部品が取り付けられるフレームとを含む器具本体と、
一定の長さと幅とを有し且つ前記器具本体の前記フレームに取り付けられる設備プレートとを備え、
前記フレームは、前記設備プレートが挿入される挿入口と、それぞれ前記フレームの長さ方向に沿って延び且つ間隔をあけて互いに対向する一方側壁および他方側壁と、前記一方側壁および前記他方側壁のそれぞれから前記挿入口に向かって延び且つ前記挿入口を挟んで互いに対向する一方側フランジおよび他方側フランジと、前記一方側壁に配置され且つ前記一方側壁から前記他方側壁に向かって突出する突起部とを有し、
前記一方側フランジと前記突起部との間の間隔ｈと、前記設備プレートの幅方向の一端の厚みＨｐと、前記フレームの幅方向に沿った前記挿入口の寸法Ｗ1と、前記設備プレートの前記幅方向の寸法Ｗ2と、前記フレームの幅方向に沿った前記突起部の先端と前記他方側壁との間の寸法Ｗ3との間に、Ｗ1＜Ｗ2≦Ｗ3の関係およびｈ＜Ｈｐの関係が成立する、天井設置用照明器具。
【請求項２】
前記設備プレートの前記幅方向の寸法Ｗ2と、前記幅方向に沿った前記突起部の先端と前記他方側壁との間の寸法Ｗ3との間に、Ｗ2＜Ｗ3の関係がさらに成立する、
請求項１に記載の天井設置用照明器具。
【請求項３】
前記突起部の突出高さは、前記一方側フランジが延びる長さよりも小さい、
請求項１または請求項２に記載の天井設置用照明器具。
【請求項４】
前記突起部の前記一方側フランジに対向しない側の面の一部は、前記面の前記他方側壁側の端部が前記一方側フランジに近づく方向に傾斜している、
請求項１から請求項３までのいずれか１項に記載の天井設置用照明器具。
【請求項５】
前記フレームは、細長い略直方体形状を有し、
前記フレームの長手方向の端において、前記一方側フランジから前記突起部に向かう方向に沿った前記一方側フランジおよび前記他方側フランジよりも前記突起部が配置されている側は、前記フレームの外部と内部とが連通するように開口し、
前記挿入口は、前記フレームの前記長手方向の端に形成されている、
請求項１から請求項４までのいずれか１項に記載の天井設置用照明器具。
【請求項６】
前記フレームは、前記他方側壁に配置され且つ前記他方側壁から前記一方側壁に向かって突出する他の突起部をさらに有し、
前記幅方向に沿った前記突起部の先端と前記他の突起部の先端との間の寸法Ｗ4と、前記寸法Ｗ1と、前記寸法Ｗ2との間に、Ｗ1＜Ｗ2≦Ｗ4の関係が成立する、
請求項１から請求項５までのいずれか１項に記載の天井設置用照明器具。
【請求項７】
前記光源は発光ダイオードである、請求項１から請求項６までのいずれか１項に記載の天井設置用照明器具。
【請求項８】
前記フレームは、前記フレームの前記幅方向に沿って前記一方側壁と前記他方側壁との間に延び、且つ、前記一方側フランジから前記突起部に向かう方向に沿って、前記一方側フランジおよび前記他方側フランジから前記突起部が配置された位置よりも離れた位置に配置された天井壁を有している、
請求項１から請求項７までのいずれか１項に記載の天井設置用照明器具。
【発明の詳細な説明】
【技術分野】
【０００１】
本発明は、照明器具のうち、特に、当該照明器具を天井に設置した後に、設備プレートを当該照明器具に取り付けることが可能であり、且つ、設備プレートを当該照明器具に取り付けた後に、設備プレートが取り付けられた当該照明器具を天井に設置することが可能である天井設置用照明器具に関する。
【背景技術】
【０００２】
オフィスビル等において、照明器具は、システム天井の一部として利用されている。システム天井に利用される天井設置用の照明器具は、フロアの天井構造物から吊り下げられる支持部材を格子状に組むことによって形成される複数の格子部分に設置されている。システム天井の複数の格子部分に設置される他の機器等としては、照明器具の他に、石膏材料等によって形成された天井板、または、空調機器等が挙げられる。
【０００３】
例えば特開２００６−３１８８６４号公報（以下、特許文献１という）に記載された照明装置においては、当該照明器具装置の器具本体が、天井の格子部分に設置される。特許文献１に記載された照明装置においては、当該照明装置の組み立て作業性の向上と、システム天井の施工時の作業性の向上とを図ることが可能であるように、スピーカ、非常灯、煙探知器、スプリンクラー、照度センサ等の天井設備機器を備えた設備プレートを、当該照明装置の器具本体を天井に設置した後に器具本体に取り付けることができる。
【０００４】
特許文献１に記載された照明器具において、天井設備機器を備えた設備プレートは、器具本体の中央部に取り付けられる。器具本体には、設備プレートを載せるためのフランジ部が形成されている。フランジ部には、設備プレートを保持するための保持金具が取り付けられている。設備プレートは、フランジ部に載せられたうえで保持金具によって器具本体に固定されることにより、器具本体に取り付けられる。
【先行技術文献】
【特許文献】
【０００５】
【特許文献１】特開２００６−３１８８６４号公報
【発明の概要】
【発明が解決しようとする課題】
【０００６】
上述のように、特許文献１に記載された照明器具において、設備プレートは、保持金具を介して器具本体に取り付けられている。すなわち、天井の格子部分に照明装置を設置する作業者は、保持金具に設備プレートを固定させること等により、設備プレートを器具本体に取り付けなければならない。このように、特許文献１に記載された照明器具において、器具本体に設備プレートを取り付けるための構成は、必ずしも簡易なものではなく、当該照明装置の組み立て作業性のさらなる向上、および、システム天井の施工時の作業性のさらなる向上が望まれていた。
【０００７】
そこで、本発明の目的は、比較的簡易な構成によって設備プレートを器具本体に取り付けることが可能な天井設置用照明器具を提供することである。
【課題を解決するための手段】
【０００８】
本発明に従った天井設置用照明器具は、電気部品とフレームとを含む器具本体と、設備プレートとを備えている。電気部品は、光源と、光源を点灯させる点灯装置とを有する。フレームは、一定の長さと幅とを有している。電気部品は、フレームに取り付けられる。設備プレートは、一定の長さと幅とを有している。設備プレートは、器具本体のフレームに取り付けられる。
【０００９】
フレームは、挿入口と、一方側壁と、他方側壁と、一方側フランジと、他方側フランジと、突起部とを有している。挿入口には、設備プレートが挿入される。一方側壁と他方側壁とは、それぞれフレームの長さ方向に沿って延び且つ間隔をあけて互いに対向している。一方側フランジは、一方側壁から挿入口に向かって延びている。他方側フランジは、他方側壁から挿入口に向かって延びている。一方側フランジと他方側フランジとは、挿入口を挟んで互いに対向している。突起部は、一方側壁に配置されている。突起部は、一方側壁から他方側壁に向かって突出している。
【００１０】
一方側フランジと突起部との間の間隔ｈと、設備プレートの幅方向の一端の厚みＨｐと、フレームの幅方向に沿った挿入口の寸法Ｗ1と、設備プレートの幅方向の寸法Ｗ2と、フレームの幅方向に沿った突起部の先端と他方側壁との間の寸法Ｗ3との間に、Ｗ1＜Ｗ2≦Ｗ3の関係およびｈ＜Ｈｐの関係が成立する。
【００１１】
本発明に従った天井設置用照明器具によれば、フレームの幅方向に沿った挿入口の寸法Ｗ1と、設備プレートの幅方向の寸法Ｗ2との間に、Ｗ1＜Ｗ2の関係が成立する。これにより、工事の作業者等は、フレームの幅方向に対して設備プレートを傾けながら挿入口に挿入することにより、フレームの外側から一方側壁と他方側壁との間に設備プレートを移動させることができる。一方側壁と他方側壁との間に移動された設備プレートは、フレームの幅方向と設備プレートの幅方向とが一致するように、一方側壁と他方側壁との間に配置されることにより、挿入口を覆う。
【００１２】
また、本発明に従った天井設置用照明器具によれば、一方側フランジと突起部との間の間隔ｈと、設備プレートの幅方向の一端の厚みＨｐとの間に、ｈ＜Ｈｐの関係が成立し、且つ、設備プレートの幅方向の寸法Ｗ2と、幅方向に沿った突起部の先端と他方側壁との間の寸法Ｗ3との間に、Ｗ2≦Ｗ3の関係が成立する。これらの関係により、一方側壁の突起部と他方側壁との間において、フレームおよび器具本体に対する設備プレートの位置が決定されるように、設備プレートが器具本体に取り付けられる。
【００１３】
このように、本発明によれば、ネジ等の固定部材を用いることなく、一方側壁の突起部と他方側壁との間に設備プレートを単に配置させることにより、フレームおよび器具本体に対して設備プレートを取り付けることができる。したがって、本発明によれば、比較的簡易な構成によって設備プレートを器具本体に取り付けることが可能な天井設置用照明器具を提供することができる。
【００１４】
本発明に従った天井設置用照明器具において、好ましくは、設備プレートの幅方向の寸法Ｗ2と、幅方向に沿った突起部の先端と他方側壁との間の寸法Ｗ3との間に、Ｗ2＜Ｗ3の関係がさらに成立する。
【００１５】
この構成によれば、設備プレートがフレームに取り付けられている場合には、設備プレートの一端と突起部との間、または、設備プレートの他端と他方側壁との間に間隔があけられる。そのため、設備プレートをフレームから容易に取り外すことができる。
【００１６】
本発明に従った天井設置用照明器具において、好ましくは、突起部の突出高さは、一方側フランジが延びる長さよりも小さい。
【００１７】
この構成によれば、当該天井設置用照明器具が設置されたフロアにおいて、床から天井に向かって当該天井設置用照明器具を見る場合には、突起部に接触する設備プレートの一端と、突起部とが、フレームの一方側フランジに隠れている。そのため、フレームの内部は、床から天井に向かう方向から挿入口を通して見えることがない。このように、この構成によれば、当該天井設置用照明器具の美観を損なうことが無い。
【００１８】
本発明に従った天井設置用照明器具において、突起部の一方側フランジに対向しない側の面の一部は、面の他方側壁側の端部が一方側フランジに近づく方向に傾斜していることが好ましい。
【００１９】
この構成によれば、当該天井設置用照明器具の器具本体が天井に設置されている場合には、設備プレートの一端の下端を突起部の上面に接触させながら、接触点を中心に設備プレートを回転させることにより、設備プレートを天井裏のより奥の位置まで移動させることができる。設備プレートが天井裏のより奥の位置にまで移動された後には、設備プレートの一端を、傾斜した上面に沿って接触点から滑り落とすように下方に移動させることにより、設備プレートの全体を挿入口の上方に配置させることができる。このように、この構成によれば、フレームおよび器具本体に対して設備プレートを容易に取り付けることができる。
【００２０】
本発明に従った天井設置用照明器具において、フレームは、好ましくは、細長い略直方体形状を有している。好ましくは、フレームの長手方向の端において、一方側フランジから突起部に向かう方向に沿った一方側フランジおよび他方側フランジよりも突起部が配置されている側は、フレームの外部と内部とが連通するように開口している。挿入口は、好ましくは、フレームの長手方向の端に形成されている。
【００２１】
この構成によれば、フレームの外部と内部とが連通するように開口した部分から、作業者の手または指をフレームの内側に入れることができるため、設備プレートを容易に器具本体に取り付けることができる。
【００２２】
本発明に従った天井設置用照明器具において、フレームは、好ましくは、他方側壁に配置され且つ他方側壁から一方側壁に向かって突出する他の突起部をさらに有している。好ましくは、幅方向に沿った突起部の先端と他の突起部の先端との間の寸法Ｗ4と、寸法Ｗ1と、寸法Ｗ2との間に、Ｗ1＜Ｗ2≦Ｗ4の関係が成立する。
【００２３】
この構成によれば、一方側壁の突起部と他方側壁の他の突起部との間において設備プレートを配置させることができるため、フレームに対する設備プレートの取り付けを安定させることができる。
【００２４】
本発明に従った天井設置用照明器具において、好ましくは、光源は発光ダイオードである。
【００２５】
この構成によれば、フレームおよび器具本体の薄型化が可能である。本発明に従った天井設置用照明器具によれば、薄型化されたフレームであっても、比較的簡易な構成によって設備プレートを器具本体に取り付けることができる。
【００２６】
本発明に従った天井設置用照明器具において、フレームは、好ましくは、天井壁を有している。天井壁は、好ましくは、フレームの幅方向に沿って一方側壁と他方側壁との間に延びている。天井壁は、好ましくは、一方側フランジから突起部に向かう方向に沿って、一方側フランジおよび他方側フランジから突起部が配置された位置よりも離れた位置に配置されている。
【００２７】
本発明に従った天井設置用照明器具によれば、天井壁を有するフレームであっても、比較的簡易な構成によって設備プレートを器具本体に取り付けることができる。
【発明の効果】
【００２８】
以上のように、本発明によれば、比較的簡易な構成によって設備プレートを器具本体に取り付けることが可能な天井設置用照明器具を提供することができる。
【図面の簡単な説明】
【００２９】
【図１】本発明に従った天井設置用照明器具の平面図である。
【図２】本発明に従った天井設置用照明器具の正面図である。
【図３】本発明に従った天井設置用照明器具の底面図である。
【図４】図１に示すＩＶ−ＩＶ線の拡大断面図である。
【図５】図１に示すＶ−Ｖ線の拡大断面図である。
【図６】本発明に従った天井設置用照明器具の挿入口を挟んで互いに対向する一方側フランジおよび他方側フランジと、一方側壁および他方側壁とを含むフレームの断面の拡大図である。
【図７】本発明に従った天井設置用照明器具のフレームの断面と設備プレートの断面とを拡大して示す概略図であって、設備プレートがフレームに取り付けられる前の状態を示す図である。
【図８】本発明に従った天井設置用照明器具のフレームの断面と設備プレートの断面とを拡大して示す概略図であって、設備プレートの幅方向の一端がフレームの内側に配置されている状態を示す図である。
【図９】本発明に従った天井設置用照明器具のフレームの断面と設備プレートの断面とを拡大して示す概略図であって、設備プレートの全体がフレームの内側に配置されている状態を示す図である。
【図１０】本発明に従った天井設置用照明器具のフレームの断面と設備プレートの断面とを拡大して示す概略図であって、フレームに対する設備プレートの取り付けが完了した状態を示す図である。
【発明を実施するための形態】
【００３０】
以下、本発明の実施の形態を図面に基づいて説明する。
【００３１】
図１〜３に、本発明に従った天井設置用の照明器具１００を示す。照明器具１００は、図示しない天井に設置される照明器具であって、器具本体１９０と設備プレート１５０と設備プレート１６０とを備えている。器具本体１９０は、後述する電気部品１８０（図５参照）と、フレーム１１０とを含む。フレーム１１０は、一定の長さと幅とを有している。フレーム１１０は、細長い略直方体形状を有している。なお、フレーム１１０の幅方向とは、図２の表裏方向をいう。
【００３２】
フレーム１１０は、天井壁１１１および天井壁１１２を有している。天井壁１１１は、フレーム１１０の長手方向の端１１を含む一方端部の天井面を形成している。天井壁１１２は、フレーム１１０の長手方向の端１２を含む他方端部の天井面を形成している。なお、フレーム１１０において、天井壁１１１と天井壁１１２とは一体である。
【００３３】
フレーム１１０の長手方向の端１１と端１２とよりも中央側には、支持フック１１３と支持フック１１４とが配置されている。支持フック１１３は、天井壁１１１に固定されている。支持フック１１４は、天井壁１１２に固定されている。フレーム１１０および器具本体１９０が天井に設置される場合には、支持フック１１３と支持フック１１４とを介して、図示しない天井の格子部分にフレーム１１０が取り付けられる。
【００３４】
フレーム１１０および器具本体１９０が天井に設置されたときには、天井壁１１１および天井壁１１２は、鉛直上方に面している。つまり、フレーム１１０および器具本体１９０が天井に設置されたときには、図２の左方が鉛直上方を指し、且つ、図２の右方が鉛直下方を指している。
【００３５】
図３に示すように、フレーム１１０は、設備プレート１５０が挿入される挿入口１３０と、設備プレート１６０が挿入される挿入口１４０とを有している。挿入口１３０と挿入口１４０とは、それぞれフレーム１１０の長手方向の端１１と端１２とに形成されている。照明器具１００の器具本体１９０が天井に設置されている場合には、挿入口１３０および挿入口１４０は、天井から床に向かって開口している。
【００３６】
設備プレート１５０と設備プレート１６０とは、それぞれ一定の長さと幅とを有している。設備プレート１５０と設備プレート１６０とは、フレーム１１０に取り付けられる。図１と図３とを参照するように、フレーム１１０において挿入口１３０の上方と挿入口１４０の上方とには、それぞれ開口１２１と開口１２２とが配置されている。開口１２１は、天井壁１１１に形成されている。開口１２２は、天井壁１１２に形成されている。
【００３７】
設備プレート１５０と設備プレート１６０とには、スピーカ、非常灯、煙探知器、スプリンクラー、または、照度センサ等の天井設備機器（図示せず）が取り付けられる。ただし、設備プレート１５０と設備プレート１６０とは、これらの天井設備機器が取り付けられないような、単に板状の部材であってもよい。器具本体１９０が天井に設置されている場合には、これら天井設備機器の配線は、天井裏の空間から開口１２１または開口１２２を通ってフレーム１１０の内部にまで延びている。
【００３８】
後述するように、設備プレート１５０または設備プレート１６０は、器具本体１９０が天井に設置された後にフレーム１１０に取り付けられるものであってもよい。あるいは、設備プレート１５０または設備プレート１６０が、器具本体１９０に取り付けられたうえで、器具本体１９０が天井に設置されていてもよい。
【００３９】
開口１２１の開口端２１は、フレーム１１０の端１１よりも長手方向の中央側に配置されている。これにより、天井壁１１１には、開口１２１の縁３２が形成されている。開口１２１の幅方向の二つの端は、フレーム１１０の幅方向の端よりも中央側に配置されている。開口１２１の開口端２３は、支持フック１１３よりも長手方向の中央から離れた位置に配置されている。開口１２２の開口端２４は、支持フック１１４よりも長手方向の中央から離れた位置に配置されている。
【００４０】
ただし、開口端２１は、フレーム１１０の端１１と一致していてもよく、天井壁１１１に縁３２が形成されていなくてもよい。さらに、天井壁１１１に開口１２１の縁３１と縁３３とが形成されないように、開口１２１の幅方向の二つの端は、それぞれフレーム１１０の側壁３４（図４参照）と側壁３５とであってもよい。開口１２２の開口端２２も端１２に対して同様であってもよい。開口１２２の幅方向の二つの端も、それぞれフレーム１１０の側壁３４（図４参照）と側壁３５とであってもよい。
【００４１】
図４は、フレーム１１０のうち、開口１２１が形成された天井壁１１１と、開口１２１の下方に配置される挿入口１３０とを含む部分の断面を示している。図示は省略するが、フレーム１１０のうち、開口１２２が形成された天井壁１１２と、開口１２２の下方に配置される挿入口１４０とを含む部分の断面は、図４に示す断面と一致している。
【００４２】
図４に示すように、フレーム１１０は、間隔をあけて互いに対向する側壁３４と側壁３５とを有している。側壁３４は、一方側壁の一例である。側壁３５は、他方側壁の一例である。側壁３５は、フレーム１１０の長さ方向に沿って延びている（図２参照）。同様に、側壁３４は、フレーム１１０の幅方向の中央に対して側壁３５とは反対側において、フレーム１１０の長さ方向に沿って延びている。
【００４３】
フレーム１１０の端１１（図３参照）において、フレーム１１０の上下方向に沿ったフランジ３６およびフランジ３７よりも上側と天井壁１１１よりも下側との間の部分は、フレーム１１０の外部と内部とが連通するように開口している。図示は省略するが、フレーム１１０の端１２（図３参照）の構成は、フレーム１１０の端１１の構成と同様である。
【００４４】
フレーム１１０は、一方側フランジの一例としてのフランジ３６と、他方側フランジの一例としてのフランジ３７と、突起部３４ｐと、突起部３５ｐとを有している。フランジ３６およびフランジ３７とは、側壁３４および側壁３５のそれぞれから挿入口１３０に向かって延び且つ挿入口１３０を挟んで互いに対向している。突起部３４ｐは、側壁３４に配置され且つ側壁３４から側壁３５に向かって突出している。突起部３５ｐは、側壁３５に配置され且つ側壁３５から側壁３４に向かって突出している。
【００４５】
例えば、突起部３４ｐとフランジ３６とは、側壁３４に折り曲げ加工を施すことによって、側壁３４に形成されている。フランジ３６は、フレーム１１０の長手方向に沿って端１１から端１２まで延びている（図３参照）。図示は省略するが、突起部３４ｐは、フレーム１１０の長手方向に沿って端１１から端１２まで延びている。
【００４６】
なお、突起部３４ｐと突起部３５ｐとフランジ３６とフランジ３７とを形成させる方法は、折り曲げ加工に限定されない。突起部３４ｐと突起部３５ｐとフランジ３６とフランジ３７とは、押出成形によってフレーム１１０が形成される際に、同時に一体成形されていてもよい。
【００４７】
天井壁１１１は、フレーム１１０の幅方向に沿って側壁３４と側壁３５との間に延びている。図示は省略するが、天井壁１１２は、フレーム１１０の幅方向に沿って側壁３４と側壁３５との間に延びている。天井壁１１１は、フランジ３６から突起部３４ｐに向かう方向に沿って、フランジ３６およびフランジ３７から突起部３４ｐおよび突起部３５ｐが配置された位置よりも離れた位置に配置されている。言い換えると、突起部３４ｐおよび突起部３５ｐは、上下方向に沿って、天井壁１１１よりも下方且つフランジ３６およびフランジ３７よりも上方に配置されている。
【００４８】
突起部３４ｐは、上下方向に沿った側壁３４の中心よりも下方に配置されている。突起部３５ｐは、上下方向に沿った側壁３５の中心よりも下方に配置されている。すなわち、突起部３４ｐおよび突起部３５ｐは、上記各中心に対してそれぞれフランジ３６側およびフランジ３７側に配置されている。なお、フレーム１１０において、上下方向に沿った側壁３４の中心と、上下方向に沿った側壁３５の中心とは、上下方向に沿って互いに略同一位置に配置されている。
【００４９】
図５に示すように、筐体部１１５には、電気部品１８０の一部が収容されている。電気部品１８０は、発光ダイオード８３と図示しない点灯装置とを有する。筐体部１１５は、天井壁１１１の上面に固定されている（図１参照）。点灯装置を含む電気部品１８０の一部は、筐体部１１５に収容されることにより、フレーム１１０に取り付けられている。図５には、８つの発光ダイオード８３が図示されている。発光ダイオード８３は、照明器具１００の光源の一例である。筐体部１１５の下方には、照明用のパネル８１と、複数の拡散ドットが形成された導光板８２とが配置されている。電気部品１８０のうち、発光ダイオード８３は、導光板８２に取り付けられている。発光ダイオード８３が取り付けられた導光板８２は、複数のネジによって天井壁１１１（図４参照）の下面に固定されている。
【００５０】
パネル８１は、フランジ３６およびフランジ３７の上方に載せられている。すなわち、パネル８１の幅方向の一端がフランジ３６と突起部３４ｐとの間に挟まれ、他端がフランジ３７と突起部３５ｐとの間に挟まれている。
【００５１】
図６は、挿入口１３０と挿入口１４０（図３参照）とのうち、挿入口１３０を挟んで互いに対向するフランジ３６およびフランジ３７と、側壁３４および側壁３５とを含むフレーム１１０の断面の拡大図である。図６に示すように、突起部３４ｐは、側壁３４の内面３４ｅに形成されている。突起部３５ｐは、側壁３５の内面３５ｅに形成されている。内面３４ｅの上端３４ｕの上下方向の位置と、内面３５ｅの上端３５ｕの上下方向の位置とは、天井壁１１１の内面の位置と略一致している。
【００５２】
突起部３４ｐは、突起部３４ｐの断面積が、側壁３４から側壁３５に向かって縮小するテーパ形状を有している。突起部３４ｐの上面３４ｒの一部は、フランジ３６が延びる方向に対して傾斜している。具体的には、上面３４ｒの一部は、傾斜面を形成している。傾斜面は、上面３４ｒの側壁３５側の端部がフランジ３６に近づく方向に傾斜している。突起部３４ｐの上面３４ｒは、フランジ３６に対向しない側の面である。上面３４ｒの上端３４ａは、側壁３４の内面３４ｅと一致している。側壁３４に形成された突起部３４ｐと同様に、突起部３５ｐは側壁３５に形成されている。上下方向に沿った突起部３４ｐの位置と突起部３５ｐの位置とは、略同一である。
【００５３】
突起部３４ｐの側壁３４に対する突出高さＷｐは、フランジ３６が延びる長さＷｆよりも小さい。図示は省略するが、突起部３５ｐの側壁３５に対する突出高さは、フランジ３７が延びる長さよりも小さい。上下方向に沿ったフランジ３６の下端３６ｅの位置と、フランジ３７の下端３７ｅの位置とは、略同一である。なお、突起部３４ｐよりも下側の側壁３４の部分は、突起部３４ｐよりも上側の側壁３４の部分よりも板厚が小さい。
【００５４】
次に、以下では、設備プレート１５０と設備プレート１６０とのうち、例えば設備プレート１５０のフレーム１１０に対する取り付けの方法について、図７〜１０を用いて説明する。設備プレート１６０のフレーム１１０に対する取り付けの構成と方法とについては、設備プレート１５０と同様であるため、説明を省略する。
【００５５】
図７に示すように、システム天井等に照明器具１００を取り付ける作業者は、フレーム１１０に設備プレート１５０を取り付ける場合に、フレーム１１０の幅方向に対して設備プレート１５０を傾斜させながら、挿入口１３０を通して側壁３４と側壁３５との間に設備プレート１５０を移動させる。フレーム１１０の幅方向は、天井壁１１１が延びる方向であって、略水平方向である。なお、器具本体１９０（図１参照）が天井に設置された後に、設備プレート１５０をフレーム１１０に取り付けてもよく、設備プレート１５０をフレーム１１０に取り付けたうえで、フレーム１１０および器具本体１９０を天井に設置してもよい。
【００５６】
フレーム１１０の外側から側壁３４と側壁３５との間までに設備プレート１５０を移動させる場合には、突起部３４ｐまたは突起部３５ｐのうち、例えば突起部３４ｐの上面３４ｒ（図６参照）を利用することにより、側壁３４と側壁３５との間に設備プレート１５０を容易に配置させることができる。
【００５７】
設備プレート１５０は、幅方向に延びる水平部５ｃを有している。設備プレート１５０の幅方向の一端５ａと他端５ｂとは、上下方向の所定の寸法を有するように、それぞれ折り曲げ加工によって水平部５ｃに対して略垂直方向に折り曲げられている。なお、設備プレート１５０において、折り曲げ加工によって一端５ａと他端５ｂとが形成されることに限定されない。水平部５ｃと一端５ａと一端５ｂとは、フレーム１１０と同様に、押出成形によって設備プレート１５０として一体成型されていてもよい。
【００５８】
突起部３４ｐの上面３４ｒを利用することによって、フレーム１１０の外部から側壁３４と側壁３５との間までに設備プレート１５０を移動させる場合には、設備プレート１５０の一端５ａの下端を突起部３４ｐの上面３４ｒに接触させながら、接触点を中心に設備プレート１５０を回転させる。これにより、設備プレート１５０を側壁３４と側壁３５との間にまで移動させることができる。設備プレート１５０の一端５ａの下端と突起部３４ｐの上面３４ｒとが接触する接触点は、上面３４ｒのいずれかの位置である。
【００５９】
設備プレート１５０の幅方向の寸法Ｗ2（図１０参照）は、設備プレート１５０の一端５ａの下端と、突起部３４ｐの上面３４ｒとの接触点を中心に設備プレート１５０を回転させることが可能であるように、突起部３４ｐの上面３４ｒの上端３４ａ（図６参照）からフランジ３７の下端３７ｅまでの距離Ｗｒ（図８参照）よりも小さいことが好ましい。
【００６０】
一方、突起部３５ｐの上面３５ｒ（図６参照）を利用することによって、フレーム１１０の外部から側壁３４と側壁３５との間までに設備プレート１５０を移動させる場合には、設備プレート１５０の他端５ｂの下端を突起部３５ｐの上面３５ｒに接触させながら、接触点を中心に設備プレート１５０を回転させる。突起部３５ｐの上面３５ｒの上端３５ａ（図６参照）からフランジ３６の下端３６ｅまでの距離は、突起部３４ｐの上面３４ｒの上端３４ａ（図６参照）からフランジ３７の下端３７ｅまでの距離Ｗｒ（図８参照）と略同一である。
【００６１】
図９に示すように側壁３４と側壁３５との間に設備プレート１５０を配置させた後には、図１０に示すように設備プレート１５０を突起部３４ｐと突起部３５ｐとの間に移動させることにより、フレーム１１０に対する設備プレート１５０の取り付けが完了する。
【００６２】
なお、突起部３４ｐの上面３４ｒを利用することによって、フレーム１１０の外側から側壁３４と側壁３５との間までに設備プレート１５０を移動させた場合には、設備プレート１５０の他端５ｂがフランジ３７よりも上方にまで移動された後に、設備プレート１５０の一端５ａを、突起部３４ｐの上面３４ｒ（図６参照）に沿って接触点から滑り落とすように下方に移動させることができる。これにより、設備プレート１５０の全体を挿入口１３０の上方に配置させることができる。
【００６３】
フレーム１１０に対する設備プレート１５０の取り付けが完了したときには、フランジ３６と突起部３４ｐとの間の間隔ｈと、設備プレート１５０の幅方向の一端５ａの厚みＨｐとの間に、ｈ＜Ｈｐの関係が成立する。また、フレーム１１０の幅方向に沿った挿入口１３０の寸法Ｗ1と、設備プレート１５０の幅方向の寸法Ｗ2と、フレーム１１０の幅方向に沿った突起部３４ｐの先端３４ｓ（図６参照）と突起部３５ｐの先端３５ｓ（図６参照）との間の寸法Ｗ4（図９の実線に示す寸法線）との間には、Ｗ1＜Ｗ2≦Ｗ4の関係が成立する。
【００６４】
さらに、フレーム１１０に対する設備プレート１５０の取り付けが完了したときには、設備プレート１５０の幅方向の寸法Ｗ2と、フレーム１１０の幅方向に沿った突起部３４ｐの先端３４ｓと突起部３５ｐの先端３５ｓとの間の寸法Ｗ4との間に、Ｗ2＜Ｗ4の関係がさらに成立する。
【００６５】
以上のように、照明器具１００は、天井設置用の照明器具である。照明器具１００は、電気部品１８０とフレーム１１０とを含む器具本体１９０と、設備プレート１５０と、設備プレート１６０とを備えている。電気部品１８０は、発光ダイオード８３と、発光ダイオードを点灯させる点灯装置とを有する。フレーム１１０は、一定の長さと幅とを有している。電気部品１８０は、フレーム１１０に取り付けられる。設備プレート１５０と設備プレート１６０とは、一定の長さと幅とを有している。設備プレート１５０と設備プレート１６０とは、器具本体１９０のフレーム１１０に取り付けられる。
【００６６】
フレーム１１０は、挿入口１３０および挿入口１４０と、側壁３４および側壁３５と、フランジ３６およびフランジ３７と、突起部３４ｐと、突起部３５ｐとを有している。挿入口１３０および挿入口１４０のうち、例えば挿入口１３０には、設備プレート１５０が挿入される。側壁３４と側壁３５とは、それぞれフレーム１１０の長さ方向に沿って延び且つ間隔をあけて互いに対向している。フランジ３６は、側壁３４から挿入口１３０または挿入口１４０に向かって延びている。フランジ３７は、側壁３５から挿入口１３０または挿入口１４０に向かって延びている。フランジ３６とフランジ３７とは、挿入口１３０および挿入口１４０を挟んで互いに対向している。突起部３４ｐは、側壁３４に配置され、且つ、側壁３４から側壁３５に向かって突出している。突起部３５ｐは、側壁３５に配置され、且つ、側壁３５から側壁３４に向かって突出している。
【００６７】
設備プレート１５０と設備プレート１６０とのうち、例えば設備プレート１５０について、フランジ３６と突起部３４ｐとの間の間隔ｈと、設備プレート１５０の幅方向の一端５ａの厚みＨｐと、フレーム１１０の幅方向に沿った挿入口１３０の寸法Ｗ1と、設備プレート１５０の幅方向の寸法Ｗ2と、フレーム１１０の幅方向に沿った突起部３４ｐの先端３４ｓと突起部３５ｐの先端３５ｓとの間の寸法Ｗ4との間に、Ｗ1＜Ｗ2≦Ｗ4の関係およびｈ＜Ｈｐの関係が成立する。
【００６８】
照明器具１００によれば、フレーム１１０の幅方向に沿った挿入口１３０の寸法Ｗ1と、設備プレート１５０の幅方向の寸法Ｗ2との間に、Ｗ1＜Ｗ2の関係が成立する。これにより、工事の作業者等は、フレーム１１０の幅方向に対して設備プレート１５０を傾けながら挿入口１３０に挿入することにより、フレーム１１０の外側から側壁３４と側壁３５との間に設備プレート１５０を移動させることができる。側壁３４と側壁３５との間に移動された設備プレート１５０は、フレーム１１０の幅方向と設備プレート１５０の幅方向とが一致するように、側壁３４と側壁３５との間に配置されることにより、挿入口１３０を覆う。
【００６９】
また、照明器具１００によれば、フランジ３６と突起部３４ｐとの間の間隔ｈと、設備プレート１５０の幅方向の一端５ａの厚みＨｐとの間に、ｈ＜Ｈｐの関係が成立し、且つ、設備プレート１５０の幅方向の寸法Ｗ2と、フレーム１１０の幅方向に沿った突起部３４ｐの先端３４ｓと突起部３５ｐの先端３５ｓとの間の寸法Ｗ4との間に、Ｗ2≦Ｗ4の関係が成立する。これらの関係により、突起部３４ｐと突起部３５ｐとの間において、フレーム１１０および器具本体１９０に対する設備プレート１５０の位置が決定されるように、設備プレート１５０が器具本体１９０に取り付けられる。天井裏において、照明器具１００の器具本体１９０が格子部分等に取り付けられている場合には、挿入口１３０の上方に設備プレート１５０が取り付けられる。
【００７０】
このように、照明器具１００によれば、ネジ等の固定部材を用いることなく、突起部３４ｐと突起部３５ｐとの間に設備プレート１５０を単に配置させることにより、フレーム１１０および器具本体１９０に対して設備プレート１５０を取り付けることができる。同様に、突起部３４ｐと突起部３５ｐとの間に設備プレート１６０を単に配置させることにより、フレーム１１０および器具本体１９０に対して設備プレート１６０を取り付けることができる。したがって、照明器具１００によれば、比較的簡易な構成によって設備プレート１５０と設備プレート１６０とを器具本体１９０に取り付けることが可能である。
【００７１】
また、ネジ等の固定部材を用いることなく設備プレート１５０をフレーム１１０に取り付けていることにより、照明器具１００を天井に取り付けた状態であったとしても、フレーム１１０と設備プレート１５０とを含む照明器具１００全体を天井から取り外すことなく、設備プレート１５０をフレーム１１０から単に取り外すことが可能である。
【００７２】
さらに、照明器具１００によれば、突起部３４ｐと突起部３５ｐとによって設備プレート１５０および設備プレート１６０がきつく挟まれるように、設備プレート１５０および設備プレート１６０をフランジ３６とフランジ３７との上方に配置させることができる。このように、側壁３４の突起部３４ｐと側壁３５の突起部３５ｐとの間において、設備プレート１５０と設備プレート１６０とを配置させることにより、フレーム１１０に対する設備プレート１５０の位置と設備プレート１６０の位置とがずれることを防止することができる。すなわち、フレーム１１０に対する設備プレート１５０の取り付けと設備プレート１６０の取り付けとを安定させることができる。
【００７３】
したがって、照明器具１００によれば、例えば、地震等の振動によって照明器具１００に比較的大きな力が加えられる場合でも、設備プレート１５０と設備プレート１６０とがフレーム１１０に取り付けられた状態を維持することができる。また、突起部３４ｐおよび突起部３５ｐのそれぞれの下方に配置されたフランジ３６およびフランジ３７により、設備プレート１５０と設備プレート１６０とが、それぞれ挿入口１３０と挿入口１４０とから落下することを、より確実に防止することができる。
【００７４】
照明器具１００において、設備プレート１５０と設備プレート１６０とのうち、例えば設備プレート１５０について、設備プレート１５０の幅方向の寸法Ｗ2と、フレーム１１０の幅方向に沿った突起部３４ｐの先端３４ｓと突起部３５ｐの先端３５ｓとの間の寸法Ｗ4との間に、Ｗ2＜Ｗ4の関係が成立する。
【００７５】
この構成によれば、設備プレート１５０と設備プレート１６０とのうち、例えば設備プレート１５０がフレーム１１０に取り付けられている場合には、設備プレート１５０の一端５ａと突起部３４ｐとの間、または、設備プレート１５０の他端５ｂと突起部３５ｐとの間に間隔があけられる。そのため、設備プレート１５０をフレーム１１０から容易に取り外すことができる。
【００７６】
照明器具１００において、突起部３４ｐは、突起部３４ｐの断面積が、側壁３４から側壁３５に向かって縮小するテーパ形状を有している。突起部３５ｐは、突起部３５ｐの断面積が、側壁３５から側壁３４に向かって縮小するテーパ形状を有している。突起部３４ｐの上面３４ｒの一部は、傾斜している。突起部３５ｐの上面３５ｒの一部は、傾斜している。
【００７７】
この構成によれば、照明器具１００の器具本体１９０が天井に設置されている場合には、設備プレート１５０の一端５ａの下端を突起部３４ｐの上面３４ｒに接触させながら、接触点を中心に設備プレート１５０を回転させることにより、設備プレート１５０を天井裏のより奥の位置まで移動させることができる。設備プレート１５０が天井裏のより奥の位置にまで移動された後には、設備プレート１５０の一端５ａを、傾斜した上面３４ｒに沿って接触点から滑り落とすように下方に移動させることにより、設備プレート１５０の全体を挿入口１３０の上方に配置させることができる。このように、この構成によれば、フレーム１１０および器具本体１９０に対して設備プレート１５０を容易に取り付けることができる。
【００７８】
照明器具１００において、フレーム１１０は、細長い略直方体形状を有している。フレーム１１０の端１１において、フランジ３６およびフランジ３７よりも上側は、フレーム１１０の外部と内部とが連通するように開口している。挿入口１３０は、フレーム１１０の長手方向の端１１に形成されている。
【００７９】
この構成によれば、フレーム１１０の外部と内部とが連通するように開口した部分から、作業者の手または指をフレーム１１０の内側に入れることができるため、設備プレート１５０を容易に器具本体１９０に取り付けることができる。
【００８０】
また、照明器具１００によれば、例えば、挿入口１３０の長手方向の一端がフレーム１１０の端１１と一致するように、挿入口１３０は、フレーム１１０の端１１まで開口している。このように、フレーム１１０の端１１に挿入口１３０の縁が形成されていない場合には、さらに容易に設備プレート１５０を器具本体１９０に取り付けることができる。
【００８１】
照明器具１００は、光源としての発光ダイオードを有する電気部品１８０を備えている。発光ダイオードが光源に用いられる場合には、フレーム１１０および器具本体１９０の薄型化が可能である。照明器具１００によれば、薄型化されたフレーム１１０であっても、比較的簡易な構成によって設備プレート１５０を器具本体１９０に取り付けることができる。
【００８２】
照明器具１００において、フレーム１１０は、天井壁１１１と天井壁１１２とを有している。天井壁１１１と天井壁１１２とは、フレーム１１０の幅方向に沿って側壁３４と側壁３５との間に延びている。天井壁１１１と天井壁１１２とは、フランジ３６およびフランジ３７よりも上方に配置されている。
【００８３】
照明器具１００によれば、天井壁１１１を有するフレーム１１０であっても、比較的簡易な構成によって設備プレート１５０を器具本体１９０に取り付けることができる。つまり、フレーム１１０が天井壁１１１を有していることによって、設備プレート１５０を挿入口１３０からフレーム１１０の内部に挿入した後に設備プレート１５０を回転させながらフレーム１１０に取り付ける必要がある場合でも、フランジ３６およびフランジ３７の上方に、設備プレート１５０を確実に配置させることができる。
【００８４】
なお、照明器具１００において、設備プレート１５０の取り付けの構成と、設備プレート１６０の取り付けの構成とは、それぞれ異なっていてもよい。設備プレート１５０と設備プレート１６０とのいずれか一方が、上述した構成であればよい。
【００８５】
上述した構成によって、設備プレート１５０と設備プレート１６０との両方をフレーム１１０に対して取り付けることができる場合には、照明器具１００と天井の設備とを同時に一括して施工することが可能であり、照明器具１００と天井の設備とをそれぞれ別に施工することも可能である。
【００８６】
システム天井が設置されるフロアの用途変更に応じて、天井設備を移動または追加する場合でも、設備プレート１５０と設備プレート１６０との両方をフレーム１１０に対して上述した構成によって取り付けることができるときには、設備プレート１５０および設備プレート１６０と器具本体１９０とを含む照明器具１００全体を天井から取り外す必要が無い。
【００８７】
施主の意向等によって、フロアの納入直前に仕様が変更される場合であっても、所望の天井設備機器に応じて、設備プレート１５０または設備プレート１６０を取り換えることにより、即座に対応することが可能である。あるいは、工事の完成検査用に、天井設備機器が取り付けられていない単に板状のプレートを、挿入口１３０または挿入口１４０を通してフレーム１１０に取り付けることができる。このように、照明器具１００によれば、工事の日程に悪影響が及ぼされることが防止されている。
【００８８】
なお、フレーム１１０において、フランジ３７と突起部３５ｐとの間の間隔は、フランジ３６と突起部３４ｐとの間の間隔ｈと略同一である。設備プレート１５０の幅方向の他端５ｂの厚みは、設備プレート１５０の幅方向の一端５ａの厚みＨｐと同様である。
【００８９】
側壁３４に突起部３４ｐが配置されている場合には、側壁３５に突起部３５ｐが配置されていなくてもよい。あるいは、側壁３５に突起部３５ｐが配置されている場合には、側壁３４に突起部３４ｐが配置されていなくてもよい。
【００９０】
例えばフレーム１１０に対する設備プレート１５０の取り付けについて、例えば側壁３５に突起部３５ｐが配置されていない場合には、フレーム１１０の幅方向に沿った挿入口１３０の寸法Ｗ1と、設備プレート１５０の幅方向の寸法Ｗ2と、フレーム１１０の幅方向に沿った突起部３４ｐの先端３４ｓと側壁３５との間の寸法Ｗ3（図９の二点鎖線に示す寸法線）との間に、Ｗ1＜Ｗ2≦Ｗ3の関係およびｈ＜Ｈｐの関係が成立する。さらに、フレーム１１０の幅方向に沿った挿入口１３０の寸法Ｗ1と、設備プレート１５０の幅方向の寸法Ｗ2と、フレーム１１０の幅方向に沿った突起部３４ｐの先端３４ｓと側壁３５との間の寸法Ｗ3との間に、Ｗ1＜Ｗ2＜Ｗ3の関係がさらに成立する。
【００９１】
照明器具１００において、突起部３４ｐの突出高さＷｐは、フランジ３６が延びる長さＷｆよりも小さい（図６参照）。例えば側壁３５に突起部３５ｐが配置されていない場合にも、同様に、突起部３４ｐの突出高さＷｐはフランジ３６が延びる長さＷｆよりも小さい。
【００９２】
この構成によれば、例えば側壁３５に突起部３５ｐが配置されていないフレーム１１０を備えた照明器具が設置されたフロアにおいて、床から天井に向かって照明器具を見る場合には、突起部３４ｐに接触する設備プレート１５０の一端５ａと、突起部３４ｐとが、フレーム１１０のフランジ３６に隠れ、且つ、突起部３５ｐに接触する設備プレート１５０の他端５ｂと、突起部３５ｐとが、フレーム１１０のフランジ３７に隠れている。そのため、フレーム１１０の内部は、床から天井に向かう方向から挿入口１３０を通して見えることがない。このように、この構成によれば、例えば側壁３５に突起部３５ｐが配置されていないフレーム１１０を備えた照明器具の美観を損なうことが無い。
【００９３】
フレーム１１０においてフレーム１１０の挿入口１３０と挿入口１４０とが形成されている長手方向の範囲を除く部分にも、突起部３４ｐと突起部３５ｐとが形成されていることにより、突起部３４ｐと突起部３５ｐとは、パネル８１（図５参照）を保持する機能を有している。フランジ３６およびフランジ３７がパネル８１を下方から支持し、且つ、突起部３４ｐと突起部３５ｐとがパネル８１を上方（フレーム１１０の内側）から保持することにより、フレーム１１０に対するパネル８１の位置を確実に維持させることができる。したがって、フレーム１１０の外側（特に、パネル８１の照射面側）から力が負荷された場合に、フレーム１１０に対するパネル８１の位置が、所定の位置から外れることを防止することができる。
【００９４】
フレーム１１０の成型方法としては、発光ダイオード８３等の電気部品１８０が取り付けられる部分（照明器具１００の発光部分、つまり、フレーム１１０の長手方向に沿ってパネル８１が延びている範囲）と、挿入口１３０または挿入口１４０が形成される部分とが長手方向に並べて配置されるように、フレーム１１０を押出成形することができる。このように、突起部３４ｐおよび突起部３５ｐを、それぞれ、パネル８１を保持する保持部と、フレーム１１０に対する設備プレート１５０の位置または設備プレート１６０の位置とがずれることを防止する位置決め部として、構成させることができる。換言すると、パネル８１の保持部としての突起部３４ｐと突起部３５ｐとを、設備プレート１５０または設備プレート１６０の位置決め部として利用することができる。
【００９５】
このように、フレーム１１０において、パネル８１の保持部と、設備プレート１５０または設備プレート１６０の位置決め部とを一体成型することができるため、製造工程の削減により、製造コストの低減が可能である。さらに、フレーム１１０において、突起部３４ｐおよび突起部３５ｐと、フランジ３６およびフランジ３７とを押出成型によって一体成型することにより、さらなる製造工程の削減と、製造コストの低減とが可能である。
【００９６】
突起部３４ｐと突起部３５ｐとは、それぞれ側壁３４と側壁３５とに、折り曲げ加工が施されることによって形成されている。ただし、突起部３４ｐと突起部３５ｐとは、フレーム１１０の長手方向の挿入口１３０と挿入口１４０とが形成されている範囲において、延びていればよい。フレーム１１０の長手方向の挿入口１３０と挿入口１４０とが形成されている範囲のいずれかの位置において、側壁３４または側壁３５に局所的に配置されているものであってもよい。例えば、突起部としては、側壁３４の内面３４ｅまたは側壁３５の内面３５ｅに、豆状等の個体物が接着もしくは溶着等によって固定されたものであってもよい。
【００９７】
突起部３４ｐまたは突起部３５ｐの断面の形状は、特に限定されない。フレーム１１０の長手方向の挿入口１３０と挿入口１４０とが形成されている範囲のいずれかの位置において、側壁３４または側壁３５に局所的に配置された複数の突起部３４ｐまたは複数の突起部３５ｐのうち、例えば複数の突起部３４ｐの断面形状は、それぞれ異なっていてもよい。
【００９８】
なお、照明器具１００に用いられる光源は、蛍光灯であってもよく、ランプであってもよい。
【００９９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１００】
３４：側壁、３４ｐ：突起部、３５：側壁、３５ｐ：突起部、３６：フランジ、３７：フランジ、１００：照明器具、１１０：フレーム、１１１，１１２：天井壁、１３０，１４０：挿入口、１５０，１６０：設備プレート、１８０：電気部品、１９０：器具本体
【図１】
2013109851.tif 000003
【図２】
2013109851.tif 000004
【図３】
2013109851.tif 000005
【図４】
2013109851.tif 000006
【図５】
2013109851.tif 000007
【図６】
2013109851.tif 000008
【図７】
2013109851.tif 000009
【図８】
2013109851.tif 000010
【図９】
2013109851.tif 000011
【図１０】
2013109851.tif 000012